(57)【特許請求の範囲】
【請求項１】
光を通す少なくとも２個の防火ガラス板（２，３，４）が側方エッジ（９，１０；１４，１５）のところで互いに突き合わせられ、その際残りの側方エッジ（１１，１２，１３）が建築部品（６）に保持され、前記防火ガラス板（２，３，４）が各々互いに間隔をおいて配置された少なくとも２枚の平行なガラス（１６）と、このガラス（１６）の間の中間室（１７）内に配置された防火層（１８）とを備え、防火ガラス板（２，３，４）の互いに突き合わせられた側方エッジ（９，１０；１４，１５）の間にシール構造体（７，８）が組み込まれており、
この場合、防火ガラス板（２，３，４）の互いに突き合わせられた側方エッジ（９，１０；１４，１５）が、互いに少なくとも１ｍｍの間隔をおいて配置され、シール構造体（７，８）が側方エッジ（９，１０；１４，１５）の間の中間室（２６）内で、この中間室の全長にわたって配置され、かつシール要素（２３，２４，２５）から成る耐火性平面要素（１）において、
防火層（１８）がガラス（１６）の間で各防火ガラス板（２，３，４）のエッジ（９〜１５）まで達しておらず、エッジ範囲に沿って溝（１９）が形成されていること、ならびに
ガラス（１６）の端縁範囲において前記溝（１９）に遮断材料（２０）が充填されていることを特徴とする耐火性平面要素（１）。
【請求項２】
耐火材料からなる追加要素（２２）がシール構造体（７，８）内におよび防火ガラス板（２，３，４）の側方エッジ（９，１０；１４，１５）の間に挿入され、この追加要素（２２）が防火ガラス板（２，３，４）の幅広側面の方に向いた両側部のところで、それぞれ１個の弾性的なシール要素（２３，２４）によって覆われていることを特徴とする請求項１記載の耐火性平面要素（１）。
【請求項３】
弾性的なシール要素（２３，２４，２５）がエラストマーのグループの材料、特に天然ゴムまたは合成ゴムまたはシリコンからなっていることを特徴とする請求項１または２記載の耐火性平面要素（１）。
【請求項４】
弾性的なシール要素（２３，２４，２５）が予め成形された弾性的なシール成形体であることを特徴とする請求項１〜３のいずれか一つに記載の耐火性平面要素（１）。
【請求項５】
防火ガラス板（２，３，４）のエッジ範囲の溝（１９）内に設けられた遮断材料（２０）が弾性的なポリマー、特にポリサルファイドであることを特徴とする請求項１〜４のいずれか一つに記載の耐火性平面要素（１）。
【請求項６】
シール構造体（７，８）内の追加要素（２２）の材料が木材であることを特徴とする請求項２記載の耐火性平面要素（１）。
【請求項７】
シール構造体（７，８）内の追加要素（２２）の材料が水ガラスを含むシール材料であることを特徴とする請求項２記載の耐火性平面要素（１）。
【発明の詳細な説明】
【０００１】
本発明は、光を通す少なくとも２個の防火ガラス板が側方エッジのところで互いに突き合わせられ、その際残りの側方エッジが建築部品に保持され、前記防火ガラス板が互いに間隔をおいて配置された少なくとも２枚の平行なガラスと、このガラスの間の中間室内に配置された防火層とを備えており、防火ガラス板の互いに突き合わせられた側方エッジが、互いに間隔をおいて配置され、これらの側方エッジの間にシール構造体が組み込まれている、耐火性平面要素に関する。
【０００２】
この種の耐火性平面要素は、建物の開口、例えば壁切欠きを閉鎖する役目を果たすかあるいは部屋の分離要素または画成要素としての役目を果たす。光を通す防火ガラス板または防火ガラスは公知のごとく、例えばドイツ工業規格ＤＩＮ４１０２の要求を満足する。公知の防火ガラスは例えば互いに間隔をおいて配置された複数の平行な珪酸ガラスからなり、このガラスの間に防火層が挿入されている。この防火層は火災の場合に所定の温度に達すると発泡し、ガラスと共に断熱建築要素を形成する。
【０００３】
強度上の理由および生産技術的な理由から、防火ガラスは任意の大きさの寸法に製造することができない。光を通す大きな面積の耐火性平面要素を製造するために、２個またはそれ以上の防火ガラス板を共通の平面内で一つの平面要素に接合することが知られている。その際、個々の防火ガラス板は連結要素、例えは枠部材によって互いに位置決めされて保持される。同様な連結要素が防火ガラス板とそれに接する建物の要素または建築部品との間の移行範囲にも必要である。防火ガラス板と周囲の建築要素を連結するためのこのような連結要素または枠構造体はドイツ連邦共和国実用新案登録第８０２４０８６号公報と同第７１４８６９３号公報によって知られている。ドイツ連邦共和国実用新案登録第８０２４０８６号公報は防火ドアの防火ガラス窓の構造体を示している。その際、防火ガラス板がｚ字状の枠形材によって建築部品またはドアに固定されている。ガラス板のエッジ範囲と建築部品の間の継ぎ目には、熱の作用時に発泡する、特に水ガラスを含む断熱材料からなる層が配置されている。この層は火災の際に継ぎ目をシールする。ドイツ連邦共和国実用新案登録第７１４８６９３号公報は金属枠、例えばドアの防火ガラス板の保持部を示している。その際、ガラス板のエッジ範囲と金属枠の間のシールは、火災の場合に平行なガラス板の間に配置された防火物質が発泡し、継ぎ目の方に膨張するように形成されている。ガラス板から出る発泡材料によって、継ぎ目がシールされる。
【０００４】
例えば建物の正面のための、ガラスを嵌めた大きな面積の建造物の場合、枠を用いないでガラス板をエッジのところで互いに突き合わせることが知られている。隣接する２枚のガラス板の継ぎ目の被覆は、例えばシリコン物質で継ぎ目を被覆および部分的に充填することによって行われる。防火ガラス板を使用する場合、この技術は今日まで別々に用いられている。なぜなら、継ぎ目とシール材料を枠要素によって覆わなけれならないという先入観があるからである。
【０００５】
複数の防火ガラス板を１つの平面要素に組み合わせる際、個々の防火ガラス板は少なくとも１つの側方エッジのところで、隣接する防火ガラス板に突き合わせられる。隣接する板の互いに突き合わせられた２つの側方エッジの範囲における防火ガラス板の保持は、公知の枠によって行うことができる。これはしかし、事情によっては、幅の広く見栄えのよくない枠形材となる。更に、公知の問題は、この枠形材が例えば金属から製作されるときの熱橋にある。ドイツ連邦共和国実用新案登録第９１０６４７８号公報により、熱橋を生じないで、互いに突き合わせられる側方エッジの範囲における狭い枠形材の形成を可能にする解決策が知られている。この解決策は、枠形材を省略可能であることを指摘している。この解決策によれば、防火ガラス板の加熱時に防火層が膨れ、隣接するガラス板の側方エッジの間の継ぎ目内に流出してこの継ぎ目に充満することにより、煙や火炎が隣接する防火ガラス板の側方エッジの間の継ぎ目を通過することが防止される。その際、火災のときに防火層の膨れる材料が継ぎ目範囲に流出することによって初めて、この継ぎ目が火炎や煙を通さないように閉鎖されるという欠点がある。防火物質を膨らませる最低温度に達するまで、継ぎ目は開放しており、例えば煙が通過し得る。他の欠点は、公知の防火層が、大気との接触時にその組織を変更し、時間が経つにつれてその機能を失う材料、例えば含水のアルカリ金属ケイ酸塩物質からなっていることにある。それによって、この構造体の場合には、防火層が乾燥するかまたは変色する危険がある。これを回避するために、適当なシールを備えた枠形材を両側に配置する必要がある。
【０００６】
別の解決手段は英国特許第２２６６１１２号明細書から公知である。この解決手段は、少なくとも二つの光透過性の防火ガラス板を備えた難燃性の扁平部材を示している。これらの防火ガラス板は側方エッジで互いに接して当る、この際側方エッジ間にはある間隔が形成されている。互いに接して当る側方エッジ間の中間空域内には、シール機構が設けられている。このシール機構には、防火ガラス板内の防火被膜が側方エッジには無く、防火被膜が空気ならびにシール材料と接触して反応してしまうという短所がある。これにより、防火被膜の構造とその機能は変化する。防火被膜は例えば乾燥したり、あるいは変色する恐れがある。以下において、この機構の場合、火災の際にガラス板が加熱されると、側方エッジ領域の防火被膜は発泡し、被膜あるいはガラス板が損傷する。
【０００７】
本発明の課題は、防火ガラス板の互いに突き合わせられる側方エッジが枠部材を備えておらず、防火ガラス板のガラスの間に配置された防火層が大気に対して完全にシールおよび保護され、隣接する防火ガラス板の互いに突き合わせられる側方エッジの範囲のシールが平面要素を組み立てた後で直ちに完全に機能し、防火層の作用温度以下でも煙を通さない、光を通す少なくとも２個の防火ガラス板を備えた耐火性平面要素のための解決策を提案することである。
【０００８】
この課題は請求項１に記載した特徴によって解決される。本発明の有利な実施形は従属請求項の特徴を有する。
【０００９】
本発明による装置は、大きな面積の耐火性平面要素が少なくとも２個の防火ガラス板から形成可能であり、光を通す範囲において互いに突き合わせられたガラス板の側方エッジが枠部材によって覆われず、この範囲に枠を備えていないという利点を有する。同時に、個々の防火ガラス板のガラスの間に配置された防火層は、ガラス板のエッジ範囲に沿って大気と接触しないように保護されている。そのために、防火層が互いに間隔をおいて配置された平行なガラスの間で最も外側のエッジ範囲まで達しないで、板のエッジ範囲に沿って溝が形成され、この溝が１ｍｍの数分の１から数ｍｍまでの深さを有するように、個々の防火ガラス板が形成されている。この溝は平行なガラスの間に防火層を挿入する際に既に形成されているかあるいは防火板を製作した後で防火層内に加工される。これは例えば機械的な加工によってあるいは溶剤を用いて行うことができる。ガラスのエッジ範囲の間の防火層のこの溝には遮断材料が充填される。この遮断材料は防火層が大気に接触しないようにし、平行に配置されたそれぞれ２枚のガラスのエッジ範囲を、気密におよび蒸気を通さないように互いに連結する。この溝に充填するのに適した材料は弾性的なポリマー、特に多硫化物である。隣接する２個の防火ガラス板の互いに突き合わせられた側方エッジは互いに少なくとも１ｍｍの間隔をおいて配置されている。従って、側方エッジの間に継ぎ目が生じる。この継ぎ目内には、シール構造体が挿入される。この場合、本発明による配置構造に従って、複数の実施形が可能である。シール構造体は隣接する防火ガラス板の側方エッジの間の中間室すなわち継ぎ目の全長にわたって延び、少なくとも１つ、特に複数のシール要素から構成されている。きわめて簡単な解決策では、隣接する防火ガラス板の側方エッジの間の継ぎ目内に、予め成形された弾性的なシール成形体が挿入される。その際、シール成形体は２個のガラス板の間の継ぎ目の全横断面を通って延び、この横断面のほぼ全体に充填される。その際、シール成形体は公知のごとく、ポリマーのグループの耐熱性または耐火性の材料、特に天然ゴム、合成ゴムまたはシリコンからなっている。シール要素またはシール成形体が防火層のためのシール機能を発揮しなくてもよいので、その材料は所望な耐火性に最適に合わせることができる。シールが継ぎ目全体にわたって延びているので、継ぎ目内の材料の全量が保護要素として作用するという付加的な利点が生じる。枠部材によるシール要素の被覆はもはや不要である。
【００１０】
他の利点は、隣接する防火ガラス板の互いに突き合わせられた側方エッジの間のシール構造体の複数の部材からなる形成によって生じる。その際、防火ガラス板の互いに突き合わせられた側方エッジの間の継ぎ目内には、耐火材料からなる追加要素が挿入される。この材料は少なくとも、上記のポリマーシールと同じ耐火作用、好ましくはそれ以上の作用を有する。追加要素は、ガラス板の幅広側面の方に向いた側面、すなわち継ぎ目の両外面の方に向いた側面が、それぞれシール要素によって覆われている。その際、このシール要素は予め成形された弾性的なシール成形体でもよいし、シール要素を可塑性物質として塗布してもよい。可塑性物質としては、エラストマー、例えばシリコンゴムが適している。特に合目的な解決策では、追加要素として、硬質木材からなる成形棒がシール構造体または継ぎ目内に挿入されている。継ぎ目の残りの範囲には、シリコン物質、例えばGeneral Electric Silicons 社のGE Pensil 300 が充填される。このシリコン物質は互いに突き合わせられる防火ガラス板またはその外側のガラスを互いに連結し、湿気や空気が継ぎ目を通過しないようにシールする。シリコン物質はガラス板のエッジと挿入された追加要素を保護する。他の有利な解決策では、追加要素として、水を含むケイ酸塩を含む材料からなる成形棒がシール構造体に挿入される。この材料は例えばGluske GmbH 社のKerafix Blaehpapier である。追加要素を備えたシール構造体は枠要素を用いない防火物のすべての要求を満たす。同時に、ガラス板内の防火層は外部からの影響に対して持続的にかつ完全に保護される。
【００１１】
本発明による装置によって、大きな面積の耐火性平面要素において、防火ガラス板の互いに突き合わせられた側方エッジの間に枠なし継ぎ目が形成可能である。この継ぎ目は非常に狭く、実質的に見えない。これは美観上最適に形成された光を通す平面要素の構造を可能にする。この場合同時に、高い耐火作用または耐火性が達成される。本発明による装置によって、例えば、DIN 4102のF30 ガラス窓の条件を満足する耐火性平面要素を形成することができる。平面要素は通常の状態、すなわち防火ガラス板が常温のときに煙を通過しない。周囲の建築要素または建築部品とガラス板製平面要素との間の連結のために、それ自体公知の枠構造体が使用される。この公知の枠構造体は防火ガラス板の互いに突き合わせられた側方エッジの本発明によるシールと簡単に組み合わせ可能である。更に、ガラス板のエッジと隣接する建築部品、例えば外壁との間の継ぎ目を、本発明による装置に従ってシールすることができる。
【００１２】
次に、図を参照して実施の形態に基づいて本発明を詳しく説明する。
【００１３】
図１には、耐火性平面要素１が示してある。この平面要素は建築部品の一部として壁６に組み込まれている。平面要素１は光を通す３個の防火ガラス板２，３，４からなっている。この防火ガラス板は公知の枠５を介して壁６に連結されている。防火ガラス板２，３，４としては多層の板が使用される。この多層の板は平行に配置された少なくとも２枚のガラスと、このガラスの間に配置された１つの防火層とからなっている。その際、上記の例では、例えば米国特許第５，５６５，２７３号明細書に記載されているような防火ガラス板が使用される。図示した例では、互いに間隔をおいて配置された平行な４枚のガラスと、このガラスの間の中間室内に配置された３つの防火層とからなる防火ガラス板が使用される。３個の防火ガラス板２，３，４からなる図示した平面要素１の場合には、隣接する防火ガラス板２，３または３，４の側方エッジが付加的な枠要素なしに互いに突き合わせられている。残りの側方エッジ、例えば防火ガラス板１の場合上側と下側の側方エッジ１１，１３ならびに第２の側方エッジ１２は、公知のごとく枠５内に保持されている。枠部材を用いずに互いに突き合わせられた防火ガラス板２の側方エッジ９と防火ガラス板３の側方エッジ１０の間には、シール構造体７が組み込まれている。枠部材を用いずに互いに突き合わせられた防火ガラス板３の側方エッジ１４と防火ガラス板４の側方エッジ１５の間にも、シール構造体８が組み込まれている。このシール構造体７，８の構造は図２，３を参照して例に基づいて説明する。シール構造体７，８は、火災の場合に少なくとも防火ガラス板２，３，４と同じ時間の間火炎と煙の通過に耐え得るように形成されている。しかも、防火ガラス板２，３，４が低温のとき、すなわち通常の使用状態にあるときに、シール構造体は煙を通さない。シール構造体は常時働き、火災のときにすなわち充分に加熱されたときに初めて働くのではない。
【００１４】
図２には、両防火ガラス板２，３の側方エッジ９，１０の間のシール構造体７の範囲の横断面が示してある。両防火ガラス板２，３は互いに離隔され平行に配置された４枚のガラス１６から構成されている。平行な２枚のガラス１６のこの離隔によって形成された中間室１７には、防火層１８が充填されている。図示した例では、４枚のガラス１６がそれぞれ２．５ｍｍの厚さを有し、中間室１７または各々の防火層の厚さが約１．５ｍｍである。ガラス１６の外形寸法と厚さは、技術水準に従って当業者に知られている全範囲内で変更可能である。これは防火層１８の厚さにも当てはまる。防火層１８は、通常の状況でガラス１６の透光性に影響を与えないかまたはほとんど与えない防火層である。火災の場合または平面要素１の加熱の際、この防火層１８はその組織が変化し、断熱層を形成する。その際、防火層１８はその透明性を失い、その熱放射の通過を防止しかつ所定の時間の間火災による防火ガラス板の破壊を防止する防火壁が形成される。このような防火層はそれ自体公知であり、例えば水を含んだアルカリ金属ケイ酸塩物質からなっている。このような防火層１８が大気に接触すると、防火層は所定の時間の後で水成分を失い、空気またはその成分と防火層の反応の結果として変色し得る。これは不所望である。というのは、それによって防火ガラス板の機能性が制限され、視覚的な作用が変化するからである。これを防止するために、本発明による防火ガラス板２，３，４の場合には、防火層１８がガラス板２または３のエッジ９または１０まで延びていない。エッジ範囲において、各々の防火層１８には溝１９が形成されている。この溝には遮断材料２０が充填されている。その際、この溝１９は０．５ｍｍから数ｍｍまでの深さを有することができる。図示した例では溝の深さは４ｍｍである。この溝１９は例えば防火ガラス板２，３，４を製造した後で各々の防火層１８のエッジ範囲を機械的に加工することによって形成され、続いて遮断材料２０が充填される。溝１９の形成は、溶剤によってあるいは製造時に充填棒を挿入し、続いて除去することによって行うこともできる。遮断材料２０としては、塑性加工可能でありかつ溝１９に容易に挿入可能である材料が使用される。この場合、弾性ポリマーのグループの材料、例えばポリサルファイドが適している。遮断材料２０は溝１９の側方を画成するガラス１６の端縁面範囲に連結され、大気と防火層１８の間で湿気や空気を通過させないシールを形成している。両防火ガラス板２，３の両側方エッジ９，１０は互いに少なくとも１ｍｍ、図示した例では４ｍｍの間隔２１をおいて配置されているので、両防火ガラス板２，３の間には継ぎ目または中間室２６が形成されている。両防火ガラス板２，３の側方エッジ９，１０の間のこの継ぎ目には、追加要素２２が挿入されている。この追加要素は図示した例では、ブナ材からなる硬質木材条片によって形成されている。この条片は例えば４×１０ｍｍの横断面寸法を有する。追加要素２２の両側方範囲あるいはガラス板２，３の幅広側面の方に向いた追加要素の側はそれぞれ、シール要素２３または２４によって覆われている。シール要素２３，２４は予め成形されたシール成形体とすることができる。���のシール成形体は追加要素２２と両防火ガラス板２，３に形状補完的に連結されているかまたは接着されている。好ましい解決策では、取付け場所で耐火性平面要素１を取付けた後で、可塑性のシール物質を入れることによってシール要素２３，２４が形成される。適切なシール物質はエラストマー、特にシリコン材料である。追加要素２２の他の適切な材料は例えば水ガラスを含む結合物質または耐火性シール材料である。
【００１５】
図３は同様に、代替的なシール構造体８を備えた防火ガラス板３，４の互いに接する側方エッジ１４，１５の横断面を示している。防火ガラス板３，４は図２に基づいて既に説明したものと同一に形成されている。ここでも、防火層１８の端縁範囲に加工した溝１９内に、遮断材料２０が充填されている。両防火ガラス板３または４の側方エッジ１４または１５は互いに間隔２１をおいて配置されている。この場合、図示した例では、この間隔は４ｍｍである。それによって生じる継ぎ目または中間室２６には、シール構造体８を形成する予め成形されたシール帯状体２５が挿入されている。このシール帯状体２５は高い耐熱性と耐火性を有するシルコンゴムからなっている。シール帯状体２５の弾性によって、防火ガラス板３，４の両側方エッジ１４，１５の間の中間室が、火炎や煙が通過しないようにシールされる。
【００１６】
図２の実施の形態と図３の実施の形態は、防火ガラス板２，３，４の互いに隣り合う側方エッジ９，１０または１４，１５をほとんど見えないように形成可能である。それによって、耐火性平面要素１の視覚的に透明な範囲はほとんど損なわれない。互いに隣り合う側方エッジ９，１０と１４，１５の範囲内に付加的な枠部分を必要としないので、見える分離線はほぼ側方エッジ９，１０または１４，１５の間の間隔２１の寸法に制限される。溝１９内に挿入された遮断材料２０は視覚的にあまり出現しない。この場合、図２の例では、光を通さない遮断材料２０を使用する場合に、約１０ｍｍの分離線の幅が生じる。それにもかからず、本発明による構造の耐火性平面要素１は、火災の場合の火炎や煙の通過を防止するための高い作用を有する。例えば防火ガラス板２，３，４がＤＩＮ４１０２によるＦ−３０ガラス窓に関する要求を満足するように形成されていると、本発明によるシール構造体はこの条件を同様に満足することができる。シール構造体７または８は、必要な検査時間を超えた後で崩壊する防火ガラス板２，３，４よりも長い時間火災に耐える。同時に、平面要素１は、通常の状態、すなわち常温状態で煙が通過しないようにシールするという要求を満足する。
【図面の簡単な説明】
【図１】  ３個の防火ガラス板を組み合わせて形成され、建物の一部の壁に組み込まれた耐火性平面要素を示す図である。
【図２】  ２個の防火ガラス板の互いに隣り合う側方エッジの間のシール構造体の横断面図である。
【図３】  ２個の防火ガラス板の互いに隣り合う側方エッジの間のシール構造体の他の実施の形態を示す図である。
【図１】
0004484411.tif 000002
【図２】
0004484411.tif 000003
【図３】
0004484411.tif 000004